(57)【要約】      （修正有）【課題】ペーパーが走査モジュール上で効果的にプレスされるペーパープレス装置の提供。【解決手段】シートフィードスキャナのペーパートラック２２０の一方側に配備されたペーパープレス装置１００は、ペーパートラックの他方側上の走査モジュール２１０に対応して設けられる。ペーパープレス装置は２つのピボットシート１１０、プレスブロック１２０および弾性要素を含んでいる。２つのピボットシートはペーパートラックの２つの側方向エッジにそれぞれ配備されている。プレスブロックはペーパートラックを横断し、その上方に配置され、回転され、かつ、摺動されるように２つのピボットシート間に枢動可能に配備されている。プレスブロックに抗してプレスされる弾性要素は垂直力を提供し、プレスブロックを押圧して直線的に移動させるとともに回転させる。プレスブロックの位置および角度を調整することによって、ペーパーは走査モジュール上で平坦にされる。【選択図】図２
0003126040.tif 000002
【実用新案登録請求の範囲】
【請求項１】
ペーパートラックと走査モジュールを有する走査デバイスに配備されたペーパープレス装置であって、ペーパートラックがペーパーの通過を許容するために使用され、該ペーパープレス装置および走査モジュールが互いに対応するペーパートラックの２つのサイド上にそれぞれ配備され、
走査デバイスの両側方向エッジ上に配備され、各々スロットを有している２つのピボットシートと、
対向方向に向かう２つのシャフトを有しており、各スロットに挿入されるように使用されるプレスブロックと、
プレスブロックに抗してプレスされ、垂直力を提供してプレスブロックを押圧して直線的に移動させるとともに走査モジュールに向けて回転させる弾性要素と、
を備えるペーパープレス装置。
【請求項２】
２つのピボットシートがプラスチックで作られている、請求項１に記載のペーパープレス装置。
【請求項３】
スロットの方向がペーパーの移動方向と直交する、請求項１に記載のペーパープレス装置。
【請求項４】
透明基板が走査モジュール上方に配備され、またプレスブロックがペーパーをこの透明基板上にプレスする、請求項１に記載のペーパープレス装置。
【請求項５】
弾性要素がばねである、請求項１に記載のペーパープレス装置。
【請求項６】
ペーパートラックと走査モジュールを有する走査デバイスに配備されたペーパープレス装置であって、ペーパートラックがペーパーの通過を許容するために使用され、該ペーパープレス装置および走査モジュールが互いに対応するペーパートラックの２つのサイド上にそれぞれ配備され、
走査モジュールに向かって回転され、かつ、摺動するように走査デバイス上に枢動可能に配備されたプレスブロックと、
プレスブロックを走査モジュールに向けてプレスする力を有し、ペーパーがプレスブロックと走査モジュール間でペーパートラックを通過するときにプレスブロックがペーパーを走査モジュール上でプレスするとともにペーパーと接触する面を有する弾性要素と、
を備えるペーパープレス装置。
【請求項７】
走査デバイスが少なくとも１つのスロットを有し、プレスブロックがスロットに対応する少なくとものシャフトを有し、またシャフトが回転され、摺動されるようにスロット内に枢動可能に配備されている、請求項６に記載のペーパープレス装置。
【請求項８】
走査デバイスが２つのスロットを有し、プレスブロックがプレスブロックの両側方向エッジ上に配備された２つのシャフトを有する、請求項７に記載のペーパープレス装置。
【請求項９】
透明基板が走査モジュール上方に配備され、またプレスブロックがペーパーを透明基板上でプレスする、請求項６に記載のペーパープレス装置。
【請求項１０】
弾性要素がばねである、請求項６に記載のペーパープレス装置。
【考案の詳細な説明】
【技術分野】
【０００１】
本考案はシートフィードスキャナ、より詳しくはペーパーを走査モジュール上で平坦にするペーパープレス装置に関する。
【背景技術】
【０００２】
多機能周辺装置（ＭＦＰ）のための汎用自動シート供給機構が、ペーパートラックを利用してペーパーを走査モジュールに移動させる。ペーパーが高速で移動する状況下で走査画像の所望品質を保証するために、プレス機構はペーパーをプレスするためにＭＦＰ内に配備しなければならない。ペーパーが走査モジュールに設けられた透明基板の表面上で平坦にされ、これによって安定した走査効果および所望の走査品質が達成される。
【０００３】
図１に示すように、従来技術のペーパープレス装置を伴うシートフィードスキャナの概略断面図である。このペーパープレス装置はプレスボード３１とばね３２を含んでいる。プレスボード３１は走査デバイスのピボット要素４０に枢動可能に連結されている。概して、走査デバイスは第１本体１０と第２本体２０を有しており、またペーパートラック５０はこれら両者間に形成され、走査するべきペーパーがここを通過する。走査デバイスの上方部分、すなわち、第１本体１０がピボットホール４１を有する少なくとも１つのピボット要素４０を備えている。走査デバイスの下方部分、すなわち、第２本体２０が走査モジュール２１を備えている。透明基板２２が走査モジュール２１上方に配備されるとともに、ガラスおよび強化プラスチックのような透明材料で作られている。走査デバイスのペーパープレス装置において、ばね３２によって提供された弾性力を利用し、プレスボード３１と共同することによって、ばね３２がプレスボード３１を押圧し、これを透明基板２２に向けてプレスする。これによって走査モジュール２１上方で走査されるべきペーパーがプレスされ、透明基板２２の表面上で平坦にされる。従って、走査モジュール２１が走査のために使用されたときに、好ましい光学的効果が達成され、これによって走査モジュール２１の焦点ずれによって生じる走査品質の低下を阻止する。
【０００４】
プレスボード３１のシャフトが、ピボット要素４０のピボットホール４１に挿入され、これによってプレスボード３１がピボット要素４０に関して回転できるだけである。すなわち、プレスボード３１は１度の自由度の移動マージンを有しているだけである。ペーパーが走査されるべき走査モジュール２１にスクロールされたときに、プレスボード３１が枢動回転によってペーパーがプレスされるだけで、これによってプレス効果は表面全体に渡って達成されない。この結果、ペーパーは透明基板２２の表面上で部分的に平坦にされ、従って、走査モジュール２１の評価品質が相当低下する。
【考案の開示】
【考案が解決しようとする課題】
【０００５】
従来技術のシートフィードスキャナのためのペーパープレス装置が、低いプレス効果を有しているので、ペーパーは走査モジュール上で平坦にすることができず、走査モジュールがペーパーを走査するときに、走査品質が低下するという問題が結果として生じる。
【０００６】
上述問題の観点において、本考案の目的はペーパーが走査モジュール上で効果的にプレスされない従来技術の欠点をなくすようなペーパープレス装置を提供することである。
【課題を解決するための手段】
【０００７】
本考案はシートフィードスキャナ内に配備されたペーパープレス装置を提供する。このスキャナはペーパートラックおよび走査モジュールを含んでおり、ペーパートラックは走査モジュールによって走査されるためにペーパーの走査モジュール上方通過を許容するために使用され、また、走査モジュールおよびペーパープレス装置は互いに対応してペーパートラックの両サイド上にそれぞれ配備されている。本考案のペーパープレス装置は、２つのピボットシート、プレスブロックおよび弾性要素を含んでいる。２つのピボットシートはペーパートラックの２つの側方向エッジ上に配備され、各々ペーパーの移動方向と直交するスロットを有している。対向方向を向いている２つのシャフトを有するプレスブロックがスロットに挿入するのに使用され、プレスブロックのプレス面が走査モジュールの一方サイドに関して配置されている。弾性要素がプレスブロックに抗してプレスし、垂直力を提供してプレスブロックを押圧し横方向に移動させるとともに回転させる。
【０００８】
ピボットシートのスロットが矩形構造をなし、またシャフトが回転され、摺動されるように、すなわち、プレスブロックの移動マージンの自由度が増大するようにスロット内に枢動可能に配備されている。走査されるべきペーパーが走査モジュールを通過するときに、プレスブロックが移動し、プレス面の位置および角度を調節する。一方で、弾性要素がプレス力を提供して、プレスブロックがペーパーの全面をプレスする。従って、ペーパーは走査モジュール上で効果的に完全に平坦にされ、最も好ましい走査品質が達成される。
【考案の効果】
【０００９】
本考案の効果は、簡単な部材を使用することによってシートフィードスキャナの走査モジュール上でペーパーが完全にプレスされ、これによって走査デバイスの画像走査品質が改善される。
【００１０】
本考案を実行することによって、次の効果を達成することができる。
１．走査画像の品質が効果的に高められる。
２．構造が簡単、かつ、分離することが容易であり、従って組み立て工程を簡略化できる。
３．均一なプレス力が、長時間使用後においても提供することができる。
４．構造体をプラスチックで製作できるので、費用および重量を低減できる。
【考案を実施するための最良の形態】
【００１１】
本考案のさらなる適用可能範囲は、次なる詳細な説明から明らかとなろう。しかし、本考案の精神および範囲内の種々の変更例および修正例が、本詳細説明から当業者にとって明白となるであろうから、本考案の指示する好ましい実施例は実例としてのみ与えられている。
【００１２】
本考案は実例としてのみ以下に与えられた詳細説明からより完全に理解できるであろう、従って本考案を限定するのもではない。
【実施例】
【００１３】
本考案に基づくペーパープレス装置は、ファックス機械、ゼロックス機械、ＭＦＰ、スキャナまたはペーパーを供給する機能を伴う他のデバイスに適用可能である。本考案の次の詳細な説明において、シートフィードスキャナは本考案の好ましい実施例として取り上げられている。しかし、添付図面は参照例および図示例を提供するにすぎず、本考案を限定することを意図するものではない。
【００１４】
図２は本考案に基づくペーパープレス装置を伴う走査デバイスの概略断面図である。また、図３は本考案の概略斜視図である。
【００１５】
図２および図３に示したように、本考案のペーパープレス装置１００は走査デバイス２００内に配備される。走査デバイス２００は走査モジュール２１０およびペーパートラック２２０を含んでおり、ペーパートラック２２０がペーパーの通過を許容する。ペーパープレス装置１００および走査モジュール２１０は互いに対応するペーパートラック２２０の２つのサイド上にそれぞれ配備され、またペーパープレス装置１００は、この装置１００の他方サイドと対向する走査モジュール２１０上方に配備された透明基板２３０によって走査モジュール２１０から分離されている。
【００１６】
ペーパープレス装置１００は、２つのピボットシート１１０、プレスブロック１２０および弾性要素１３０を含んでおり、２つのピボットシート１１０はそれぞれ走査モジュール２１０の一方側に対応する走査デバイス２００の２つの側方向エッジ上にそれぞれ配備され、また２つのピボットシート１１０は各々矩形スロット１１１を有している。プレスブロック１２０は対向方向に向かう２つのシャフト１２１を有し、スロット１１１に挿入して使用される。これによってプレスブロック１２０は、回転され、摺動されるように２つのピボットシート１１０間に枢動可能に配備されている。一方で、プレスブロック１２０は、ペーパートラック２２０を横断して配置され、そのプレス面が走査モジュール２１０の一方サイドに対応し、透明基板２３０に抗してプレスされている。ばねのような弾性要素１３０がプレスブロック１２０をプレスし、垂直力を提供してプレスブロック１２０を押圧し、直線方向に移動させるとともに走査モジュール２１０および透明基板２３０に向けて回転させる。
【００１７】
プレスブロック１２０は走査モジュール２１０と対面する平坦面１２３を有している。プレスブロック１２０は、回転し、かつ、摺動するようにピボットシート１１０上に枢動可能に配備されている。弾性要素１３０の垂直力によって、プレスブロック１２０と透明基板２３０間のシート供給高さを低くすることができる。ペーパーが通過したときに、プレスブロック１２０の平坦面１２３がペーパーと面接触し、適切なプレス力を提供して透明基板２３０上でペーパー全体を平坦にプレスし、これによって走査モジュール２１０上のペーパーが平坦状態を呈する。プレスブロック１２０が、回転し、かつ、摺動するための移動マージンとして２度の自由度を有しているので、ペーパーが走査モジュール２１０を通過したときに、ペーパーがプレスブロック１２０のプレス面の位置および角度の移動と調整によって透明基板２３０上でプレスされ平坦にされる。
【００１８】
図３に示したように、ピボットシート１１０が、走査デバイス２００の２つの側方向エッジ上にそれぞれ配備され、プレスブロック１２０の走査モジュール２１０に向かう滑らかな摺動をさせる。さらに、シャフト１２１はプレスブロック１２０の中央部分に設計することができ、またピボットシート１１０はシャフト１２１(図に示さず)に基づいた位置に配備しなければならない。さらに、プレス装置１００にはただ１つのシャフトと１つのスロットを設けることもできる。本考案と同じ機能も発揮する。
【００１９】
ピボットシート１１０はプラスチックで作られるので、ピボットシート１１０はスロット１１１を形成する処理が容易である。プラスチックで作られたピボットシート１１０は、好ましい弾性マージンを提供し、シャフト１２１のスロット１１１への枢動連結を容易にしている。プレスブロック１２０のプレス面の幅は、走査モジュール２１０と透明基板２３０の幅に等しいか、走査モジュール２１０の幅より狭く、従ってペーパーはその全面に渡ってプレスされる。さらに、ピボットシート１１０がプラスチック材料で作られているので、ペーパープレス装置１００の重量が相当低減され、また製造費用も低減される。プラスチック材料が弾性であるので、比較的大きい集合マージンが集合工程中に提供される。
【００２０】
図４に示すように、ピボットシート１１０のスロット１１１の方向が、走査デバイスに移動するペーパーの方向と直交し、これによってプレスブロック１２０がペーパーの移動方向と直交する方向に摺動する。２つのピボットシートのスロット１１１が同じ軸方向に配置され、プレスブロック１２０がペーパーをプレスするときに、均一プレス力がペーパーに提供され、これによって安定したプレス効果が達成される。プレスブロック１２０は走査モジュール２１０に対する距離および角度を変えるように直線的に移動することができ、これによってペーパーは完全に走査モジュール２１０上で効果的に平坦にすることができる。従って、ペーパーが走査されたときに光学特性が正確に反映され、これによってペーパーがプレス装置によって部分的にのみプレスされる従来技術のプレス効果が改善され、これによって走査画像の好ましい品質が達成される。
【００２１】
本考案を説明したが、本考案を多数の方法で変形することもできることは明白である。このような変形例は本考案の精神および範囲から逸脱しているとは見なせず、また当業者に明白とされる全てこの種の修正例は添付請求の範囲内に含まれることを意図している。
【図面の簡単な説明】
【００２２】
【図１】従来技術によるペーパープレス装置を伴う走査デバイスの概略断面図である。
【図２】本考案に基づくペーパープレス装置を伴う走査デバイスの概略断面図である。
【図３】本考案の概略立体図である。
【図４】本考案の部分概略図である。
【図１】
0003126040.tif 000003
【図２】
0003126040.tif 000004
【図３】
0003126040.tif 000005
【図４】
0003126040.tif 000006